(57)【要約】【課題】  作業マニュアルのデータ構成を統一し、作業マニュアルの参照及び流用並びに修正を簡易化するシステムを提供することを課題とする。【解決手段】  作業標準ページ１２と、要点確認ページ１３と、作業工程ページ１１とを電算処理システム６４に記憶させ、この電算処理システム６４に備える新規作業工程ページ作製画面４１で他の製品に適用する作業工程ページ１１を参照し、この作業工程ページ１１をベースにして新規の作業工程ページ１１を作製する。【効果】  作業標準ページ並びに要点確認ページを含む新規の作業工程ページを簡単に作製することができる。【選択図】      図６
2007079691.tif 000002
【特許請求の範囲】
【請求項１】
同一製品に適用する複数の作業工程の見出しを列記した作業工程ページと、前記作業工程ごとに作業者が実行する必要のある作業手順などを示した作業標準ページと、この作業標準ページの内容を補足する要点確認ページとを電算処理システムに記憶させ、前記作業工程ページを表示させているときにコマンド操作により前記作業工程ページ上で任意の見出しを指定することで所定の前記作業標準ページを呼び出すことができるようにするとともに、前記電算処理システムに他の製品に適用する作業工程ページをベースにして新規の作業工程ページを作製する新規作業工程ページ作製画面を備え、この新規作業工程ページ作製画面上で前記見出しを取捨選択することで、選択した見出しに対応する作業標準ページ及びこれらの作業標準ページに付随する要点確認ページを新規の作業工程ページに自動複写させるようにしたことを特徴とする作業マニュアル作製システム。
【請求項２】
前記要点確認ページは、前記作業標準ページを表示させているときにコマンド操作により前記作業標準ページ上で任意のボタンを指定することで所定の前記要点確認ページを呼び出すことができるようにしたことを特徴とする請求項１記載の作業マニュアル作製システム。
【発明の詳細な説明】
【技術分野】
【０００１】
本発明は製造物の各生産工程や製造工程における作業標準などの作業マニュアルの作製及び改廃に好適な作業マニュアル作製システムに関する。
【背景技術】
【０００２】
一般に生産工程や製造工程では、作業手順などを記載した作業標準書を設ける。この作業標準書は、例えば一連の作業工程を製品ごとにまとめて製品別マニュアルを作製する。作業者が初めて作業を行う場合は、この製品別マニュアルから所定の工程における作業標準書を参照し、作業手順を理解した後に作業に従事する。
【０００３】
マニュアル作製に関する各種の技術が知られている（例えば、特許文献１参照。）。
【特許文献１】特開平８−１４７３５１号公報（図４）
【０００４】
特許文献１を次図に基づいて説明する。
図８は従来の技術の基本原理を説明する図であり、設計情報１０１から建物一戸分の設計要素情報を設計処理装置１０２に入力することで、不図示の設計要素データベースに記憶させた積算データ１０３、図面データ１０４及びマニュアルデータ１０５から建物一戸分の編集データを抽出し、この編集データに基づいて編集マニュアル１０６を出力装置１０７で印刷するものである。この編集マニュアル１０６は、積算リスト１０８、生産工程図１０９、生産マニュアル１１０、施工マニュアル１１１、電気配線図１１２から構成する。
【０００５】
ところで、この建物における生産工程図１０９が変更になることは有り得る。このとき、編集マニュアル１０６の作製者は、既存の生産工程図１０９で対応できるか検討する。新規に生産工程図を作製する必要があれば、印刷された複数の資料の中から変更となった生産工程図１０９を探す。次に、この生産工程図１０９に基づいて流用できる資料の取捨選択を行う。そして不足した資料を補充して新規のマニュアルを完成させる。
【０００６】
このとき、流用できる資料があった場合でも、この資料に対応するデータを個々に新規の生産工程図に反映させる作業が必要となる。
これらの作業は、印刷された資料全体が対象となるため、新規のマニュアルの作製には大変な時間を要する。
【０００７】
そこで、マニュアルの構成を統一し、そのデータをベースにして、新たな物件や製品に対するマニュアルの作製に活用できるシステムが求められる。
【発明の開示】
【発明が解決しようとする課題】
【０００８】
本発明は、作業マニュアルのデータ構成を統一し、作業マニュアルの参照及び流用並びに修正を簡易化するシステムを提供することを課題とする。
【課題を解決するための手段】
【０００９】
請求項１に係る発明は、同一製品に適用する複数の作業工程の見出しを列記した作業工程ページと、前記作業工程ごとに作業者が実行する必要のある作業手順などを示した作業標準ページと、この作業標準ページの内容を補足する要点確認ページとを電算処理システムに記憶させ、前記作業工程ページを表示させているときにコマンド操作により前記作業工程ページ上で任意の見出しを指定することで所定の前記作業標準ページを呼び出すことができるようにするとともに、前記電算処理システムに他の製品に適用する作業工程ページをベースにして新規の作業工程ページを作製する新規作業工程ページ作製画面を備え、この新規作業工程ページ作製画面上で前記見出しを取捨選択することで、選択した見出しに対応する作業標準ページ及びこれらの作業標準ページに付随する要点確認ページを新規の作業工程ページに自動複写させるようにしたことを特徴とする。
【００１０】
請求項２に係る発明は、前記要点確認ページは、前記作業標準ページを表示させているときにコマンド操作により前記作業標準ページ上で任意のボタンを指定することで所定の前記要点確認ページを呼び出すことができるようにしたことを特徴とする。
【発明の効果】
【００１１】
請求項１に係る発明では、新規作業工程ページ作製画面を呼び出し、その画面に含まれる作業工程ページに列記した見出しを選択することで、この見出しを新規の作業工程ページに複写することができる。この複写により、見出しに付随する作業標準ページ並びに要点確認ページを自動複写することができる。
【００１２】
この結果、既存の作業標準ページを一々確認することなしに、新規の作業工程ページを作製することが可能となる。この新規の作業工程ページは、作製した後に精度を高めるための訂正を行えばよい。
したがって、請求項１によれば、作業標準ページ並びに要点確認ページを含む新規の作業工程ページを簡単に作製することができる。
【００１３】
請求項２に係る発明では、作業標準ページ上に所定の要点確認ページを呼び出すボタンを設けた。このボタンを指定することで、要点確認ページを個別に表示させることができる。
【発明を実施するための最良の形態】
【００１４】
本発明を実施するための最良の形態を添付図に基づいて以下に説明する。なお、図面は符号の向きに見るものとする。
図１は本発明に係る作業工程ページの構成図であり、例えば車両の製造ラインにおける車種Ｘの作業工程ページ１１は、この作業工程ページ１１に付随する複数の作業標準ページ１２・・・（・・・は複数を示す。以下同様。）と、この作業標準ページ１２の内容を補足する要点確認ページ１３・・・とから構成する。
【００１５】
なお、これらのページ１１、１２、１３は、各車種ごとに作製し、後述する作業情報データベースで管理し、閲覧はモニタ等の画面で行う。
【００１６】
図２は本発明に係る作業工程ページの一例を示す図であり、図１における車種Ｘの作業工程ページ１１は、この作業工程ページ１１の管理名を記載した工程管理名欄１４と、作業工程ページ１１の見出しを記載した工程ページ見出し欄１５と、作業工程ページ１１を構成する作業標準ページ（図１符合１２）の作業標準管理名及びその内容の一覧を列記した作業一覧欄１６と、所定の作業標準ページ（図１符合１２）を表示させる表示ボタン１７ａ〜１７ｇから構成する。
【００１７】
図３は本発明に係る作業標準ページの一例を示す図であり、図２の表示ボタン１７ａを指定したとき表示画面である。
作業標準ページ１２は、この作業標準ページ１２の管理名を記載した作業標準管理名欄２１と、作業標準ページ１２の見出しを記載した標準ページ見出し欄２２と、作業者が実行する必要のある作業手順及びその内容を記載した作業手順欄２３と、作業手順の説明図を添付した図面欄２４と、管理項目、管理基準を記載した管理事項欄２５と、所定の要点確認ページ（図１符合１３）を表示させる確認ボタン２６、２７を備える作業ポイント欄２８と、使用部品名や数量などを記載した部品欄２９から構成する。
【００１８】
なお、作業ポイント欄２８及び確認ボタン２６、２７は必ずしも設ける必要はなく、作業内容に応じて適宜設定する。
【００１９】
図４は本発明に係る要点確認ページの一例を示す図であり、図３の確認ボタン２６を指定したときの表示画面である。
要点確認ページ１３は、この要点確認ページ１３の管理名を記載した要点管理名欄３１と、要点確認ページ１３の見出しを記載した要点確認見出し欄３２と、作業標準ページ（図３符号１２）の所定の作業ポイントの詳細を記載する要点説明欄３３と、この要点説明欄３３のさらに詳細を表す詳細説明欄３４、３５と、要点確認ページ１３を終了して作業標準ページ（図３符合１２）へ戻る閉じるボタン３６から構成する。
【００２０】
要点説明欄３３及び詳細説明欄３４、３５は文字や文章による文字情報、図面による図面情報、写真による静止画像情報及びビデオ録画などの動画情報などで構成する。
【００２１】
なお、要点確認ページ１３は、図３における作業標準ページ１２の内容を補足することができればよく、構成は任意である。
また、工程管理名欄（図２符合１４）、作業標準管理名欄（図３符号２１）及び要点管理名欄３１は、それぞれ重複しないように設定する。
【００２２】
以上に説明したように、作業者は既存の作業工程の作業手順であれば、これらのページ１１、１２、１３のいずれかを参照することで、作業手順や作業内容を確認することができる。
しかし、例えば他の車種において新規の作業工程を新設すれば、それに対応した新規の作業工程ページを作製する必要がある。
【００２３】
図５は本発明に係る新規作業工程ページ作製画面の説明図であり、この新規作業工程ページ作製画面４１は、この新規作業工程ページ作製画面４１の見出しを記載した新規作製見出し欄４２と、参照する車種名を入力する車種名欄４３と、この車種名欄４３に入力した車種の工程管理名（図２符号１４）を入力する参照工程入力欄４４と、この参照工程入力欄４４に入力した作業工程を参照する参照ボタン４５と、この参照ボタン４５で参照した作業工程ページ（図２符号１１）に付随する作業標準ページ１２の作業標準管理名及び内容を列記した参照工程見出し一覧欄４６と、新規に作業工程を設ける車種名を入力する新規車種名欄４７と、この新規車種名欄４７に入力した車種に新規作製する作業工程の管理名を入力する新規工程入力欄４８と、所定の作業標準ページの内容を選択するチェックボックス４９・・・を設けるチェック欄５１と、このチェック欄５１で選択した作業標準ページ（図３符号１２）を新規作製する作業工程ページに複写する複写ボタン５２と、他の車種の新規作業工程ページに付随させる作業標準ページ（図３符号１２）の管理名及び内容を列記した新規工程見出し一覧欄５３と、新規作業工程ページを後述する作業情報データベースに登録する更新ボタン５４と、新規作業工程ページの作製を中止する取消ボタン５５とから構成する。
【００２４】
なお、この新規作業工程ページ作製画面４１は、後述する記憶装置で管理し、読み込みは入力装置で行う。
また、車種名欄４３及び参照工程入力欄４４は、例えばコンボボックスとし、直接入力又は全ての車種名や工程管理名の中から任意に選択することができる。
【００２５】
図６は本発明に係る作業マニュアル作製システムの構成図であり、作業マニュアル作製システム１０は、各車種における複数の作業工程ページ１１・・・と、この作業工程ページ１１に付随する複数の作業標準ページ１２・・・と、これらの作業標準ページ１２・・・の内容を補足する要点確認ページ１３・・・とを格納する作業情報データベース６１と、新規作業工程ページ作製画面４１を記憶させた記憶装置６２と、この記憶装置６２からの新規作業工程ページ作製画面４１の読み込み及び作業情報データベース６１から所定の作業工程ページ１１を読み込む作業情報処理装置６３とから電算処理システム６４を構成し、この電算処理システム６４に備える作業情報処理装置６３にコマンド操作などの入力を行う入力装置６５と、作業情報処理装置６３に読み込んだ作業工程ページ１１、作業標準ページ１２、要点確認ページ１３及び新規作業工程ページ作製画面４１を表示する表示装置６６と、それらを出力する出力装置６７とから構成する。
【００２６】
作業情報データベース６１及び記憶装置６２は、例えばメモリやハードディスク等の記憶媒体である。
入力装置６５は、例えばキーボード、マウス、タッチパネルなどが採用できる。
表示装置６６は、例えばディスプレイやモニタなどが採用できる。
出力装置６７は、例えばプリンタやプロッタなどが採用できる。
【００２７】
なお、図中の「Ａ」、「Ｂ」、「Ｃ」・・・は工程管理名を示す。また、「Ａ−１」、「Ａ−２」・・・は作業標準管理名、「Ａ−１−１」、「Ａ−１−２」・・・は要点管理名を示す。
【００２８】
次に、作業マニュアル作製システム１０の作用について説明する。
作業マニュアルの作製者は、図６における入力装置６５により作業情報データベース６１から新規作業工程ページ作製画面（図５符号４１）を作業情報処理装置６３に読み込ませる。
【００２９】
図７は本発明に係る新規作業工程ページ作製画面の一例を示す図であり、先ず、車種名欄４３に車種名を入力する。本例では車種Ｘを参照する。そして、この車種Ｘから参照する作業工程ページの工程管理名を参照工程入力欄４４に入力する。本例では作業工程ページの工程管理名を「Ａ」とする。
【００３０】
次に、新規車種名欄４７に新規に作業工程を設ける車種名を入力する。本例ではこの車種名を車種Ｙとする。この車種Ｙに新規作成する作業工程ページの工程管理名を新規工程入力欄４８に記入する。本例では、新規作成する工程管理名を「Ｎ」とする。
このとき、参照工程見出し一覧欄４６、チェック欄５１及び新規工程見出し一覧欄５３は、まだ空欄である。
【００３１】
参照ボタン４５を指定する。このとき、参照する作業工程ページ（図２符号１１）を図６における作業情報データベース６１から作業情報処理装置６３に読み込む。そして、この作業工程ページ（図２符号１１）の作業標準管理名及び内容を参照工程見出し一覧欄４６に表示する。
【００３２】
新規作業工程ページに必要な項目を参照工程見出し一覧欄４６から取捨選択し、チェックボックス４９・・・にチェックを入れる。
このとき、新規工程見出し一覧欄５３は、まだ空欄である。
【００３３】
複写ボタン５２を指定し、チェックした項目を新規工程見出し一覧欄５３に複写する。
作業者は、車種Ｙにおける新規作業工程ページの内容が適切であれば更新ボタン５４を指定する。この操作により、新規作業工程ページを作業情報データベース（図６符号６１）に登録する。
また、新規作業工程ページの作製を取り消すときは、取消ボタン５５を指定する。このときは、作業情報データベース（図６符号６１）の内容は、新規作業工程ページの作製前と変化しない。
【００３４】
すなわち、作業標準ページと、要点確認ページと、作業工程ページとを電算処理システムに記憶させ、この作業工程ページ上で任意の見出しを指定することで作業標準ページを呼び出すことができるようにするとともに、他の製品に適用する作業工程ページをベースにして新規の作業工程ページを作製する新規作業工程ページ作製画面を備えたことにより、新規工程における作業標準ページを容易に作製することができる。
【００３５】
作業マニュアルの作製者は、一連の作業で得られた新規作業工程ページ及びこの新規作業工程ページを構成する作業標準ページ並びに要点確認ページに適宜変更を加えて精度を高めればよい。
【００３６】
尚、本発明では作業標準ページの内容を補足する要点確認ページを設けたが、さらにこの要点確認ページを補足する情報を設けることは差し支えない。
また、作業工程ページの見出しの指定は、本実施例で示したボタンによる指定の他にハイパーリンク、キーボード入力など特定の見出しを指定できればよく、形態は任意である。
【００３７】
そして、請求項１においては、全ての作業標準ページに要点確認ページを設ける必要はなく、作業内容に応じて適宜設ければよい。要点確認ページが不要であれば図３の確認ボタン２６、２７は不要である。
なお、請求項１における「製品」とは、四輪車、三輪車、二輪車からなる車両、その他の汎用品を指し、種類は問わない。
【産業上の利用可能性】
【００３８】
本発明の作業マニュアル作製システムは、製造ラインの作業マニュアルの作製に好適である。
【図面の簡単な説明】
【００３９】
【図１】本発明に係る作業工程ページの構成図である。
【図２】本発明に係る作業工程ページの一例を示す図である。
【図３】本発明に係る作業標準ページの一例を示す図である。
【図４】本発明に係る要点確認ページの一例を示す図である。
【図５】本発明に係る新規作業工程ページ作製画面の説明図である。
【図６】本発明に係る作業マニュアル作製システムの構成図である。
【図７】本発明に係る新規作業工程ページ作製画面の一例を示す図である。
【図８】従来の技術の基本原理を説明する図である。
【符号の説明】
【００４０】
１０…作業マニュアル作製システム、１１…作業工程ページ、１２…作業標準ページ、１３…要点確認ページ、４１…新規作業工程ページ作製画面、４９…チェックボックス、６４…電算処理システム。
【図１】
2007079691.tif 000003
【図２】
2007079691.tif 000004
【図３】
2007079691.tif 000005
【図４】
2007079691.tif 000006
【図５】
2007079691.tif 000007
【図６】
2007079691.tif 000008
【図７】
2007079691.tif 000009
【図８】
2007079691.tif 000010